(57)【要約】【課題】速やかに放熱かつ熱源低下が可能なハイパワー発光ダイオードを提供する。【解決手段】ハイパワー発光ダイオードは、ブロックが設けられ、前記ブロック上にはディンプルが形成され、前記ブロックの下方にスクリューレバーが延設され、一体成形された柱体と、前記柱体のブロック上に形成されたディンプル中に配置された少なくとも一つの発光チップと、二導電層が設けられ、ブロック上のディンプルの近傍に環設された基板と、少なくとも二つの発光チップと基板を連結するための接続導線と、ディンプル、発光チップおよび基板を覆うための光透過層とを含み、放熱が速くおよび装着し易くようにする。【選択図】図１
0003131092.tif 000002
【実用新案登録請求の範囲】
【請求項１】
ブロックが設けられ、前記ブロック上にはディンプルが形成され、前記ブロックの下方にスクリューレバーが延設され、一体成形された柱体と、
前記柱体のブロック上に形成されたディンプル中に配置された少なくとも一つの発光チップと、
二導電層が設けられ、ブロック上のディンプルの近傍に環設された基板と、
少なくとも二つの発光チップと基板を連結するための接続導線と、
ディンプル、発光チップおよび基板を覆うための光透過層と、を含むことを特徴とする、ハイパワー発光ダイオード。
【請求項２】
前記柱体は銅柱であることを特徴とする、請求項１に記載のハイパワー発光ダイオード。
【請求項３】
前記柱体は、光源を集中して出射させる集光カバーを設けたことを特徴とする、請求項１に記載のハイパワー発光ダイオード。
【請求項４】
前記柱体の下方には、放熱を向上させる放熱片を設けたことを特徴とする、請求項１に記載のハイパワー発光ダイオード。
【請求項５】
前記基板上の二導電層には電気的に直列接続するための極性リード線を設けたことを特徴とする、請求項１に記載のハイパワー発光ダイオード。
【請求項６】
前記光透過層は樹脂であることを特徴とする、請求項１に記載のハイパワー発光ダイオード。
【考案の詳細な説明】
【技術分野】
【０００１】
本考案は、放熱が速くおよび装着便利なハイパワー発光ダイオードに係わり、特に、投射ランプや車用ランプや照明灯や懐中電灯または類似構造に適応できるものである。
【背景技術】
【０００２】
現在の発光ダイオード産業は、著しく発展され、その応用製品も益々広がり、様々な光の領域において、従来のランプを徐々に切り替えていく傾向があり、早期の電子部品における発光ダイオードから今では液晶層を使用して発光するまでに演じてきて、その輝度が益々明るくなり、かつ異なる色の光を発生でき、既に日常使用している輝度に近づいた。
【０００３】
しかしながら、発光ダイオードの輝度が益々明るくなることでもあるため、その電圧にはハイパワーを使用しなければならないが、現在業界では頭痛く色んな方法を尽くして克服しようとするもう一つの問題で、即ち、発光ダイオードの発熱の問題までも、それに応じて生じられた。
発光してからある程度の期間後に熱量が排出できなく、チップ自体の焼損になり易いため、ハイパワー発光ダイオードを常に放熱装置に接続し放熱させ、温度低下を得てチップ自体が焼損しないように確保する。
【０００４】
これを鑑み、本考案の創作者は、放熱が速くおよび装着便利なハイパワー発光ダイオードの提供を期し、専念な観察かつ研究をし、さらに学術理論の運用に合せ、合理的に設計且つ組み立てし消費者に提供することは、本考案が創作しようとする動機である。
【考案の開示】
【考案が解決しようとする課題】
【０００５】
そのため、本考案の主な目的は、銅柱の一体成形によって速やかに放熱かつ熱源低下が可能なハイパワー発光ダイオードを提供する。
【０００６】
本考案の次の目的は、装着便利かつ作動し易いハイパワー発光ダイオードを提供する。
【０００７】
本考案の次の目的は、製造コストを大幅に低下できるハイパワー発光ダイオードを提供する。
【課題を解決するための手段】
【０００８】
前記目的を達成するため、本考案は、ブロックが設けられ、前記ブロック上にはディンプルが形成され、前記ブロックの下方にスクリューレバーが延設され、一体成形された柱体と、前記柱体のブロック上に形成されたディンプル中に配置された少なくとも一つの発光チップと、二導電層が設けられ、ブロック上のディンプルの近傍に環設された基板と、少なくとも二つの発光チップと基板を連結するための接続導線と、ディンプル、発光チップおよび基板を覆うための光透過層とを含むハイパワー発光ダイオードを提供する。
【０００９】
本考案の他の特徴及び具体的な実施例は、後続の詳しく説明及び図示よりさらに了解できる。
【考案を実施するための最良の形態】
【００１０】
図１〜図３を参照すると、本考案は、ハイパワー発光ダイオードであって、柱体１と、少なくとも一つの発光チップ２２と、基板２３と、少なくとも二つの接続導線２５と、光透過層２４とを含み、柱体１が一体成形され銅柱であり（ここで、この柱体１が他の放熱材で作製されても良い）、柱体１にはブロック１１が設けられ、また、ブロック１１が六角面、八角面および多角面であっても良い、ブロック１１上にはディンプル１７が形成され、前記ブロック１１の下方にスクリューレバー１２が延設された。発光チップ２２が柱体１のブロック１１上に形成されたディンプル１７中に配置され、ディンプル１７の底部がフラットである。
基板２３上には二導電層２１が設けられ、二導電層２１中には二導電層２１を導通しないように絶縁通路２７が設けられ、二導電層２１には電気的に直列接続するための極性リード線２６が設けられ、基板２３がブロック１１上のディンプル１７の近傍に環設された。少なくとも二つの発光チップ２２と基板２３を連結するための接続導線２５が、電力を接続導線２５を介して発光チップ２２に伝送して発光させる。
光透過層２４が、ディンプル１７、発光チップ２２および基板２３を覆い成形し、光透過層２４が樹脂であって、エポキシ樹脂またはシリコンなどであっても良い。
【００１１】
図４〜図５を参照すると、本考案の第２実施例及び第３実施例で、柱体１には集光カバー１３が固着され（図４に示すように）、集光カバー１３がアルミシートであって、光源を集光して外へ出射し、アルミシートから作成した集光カバー１３と柱体１のブロック１１との接触によって、発光チップ２２の熱能が柱体１を介してアルミシートである集光カバー１３に伝達され、発光チップ２２の熱能が速やかに排出され、温度を低下させ発光チップ２２が過熱で焼損されないと保護し、集光カバー１３の下にはナット１４を締め付けて放熱の効果を向上する。
また放熱片１５（または放熱台座）上には螺孔１６をドリルし、柱体１１のスクリューレバー１２を放熱片１５上に安定的に締め付けることで（図５に示すように）、発光チップ２２の熱能が柱体１を介して放熱片１５に伝達され熱能を排出できる。
また、柱体１１の下方に延びられたスクリューレバー１２で、切り替えや装着し易いものになる。
【００１２】
以上のように、本考案の装置は以下の利点を有する。
１、発光チップと柱体のディンプルとを密接的に結合させ、柱体を介して速やかに放熱及び熱源低下することが出来、装着及び位置決めし易いようにすることができる。
２、柱体は六角面のブロックで、放熱片上に安定的に締め付けることが出来、発光チップの熱能を柱体を介して放熱片に伝達させ、放熱の効果を向上する。
３、ハイパワー発光ダイオードは、集光カバーを締め付け、発光ダイオードから出射した光源を集中させることができ、かつ、集光カバーが放熱の効果をも兼ねて備えている。
【００１３】
前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００１４】
【図１】本考案の斜視外観図である。
【図２】本考案の側面断面図である。
【図３】本考案の上面図である。
【図４】本考案の他の実施例を示す図である。
【図５】本考案の更なる一つの実施例を示す図である。
【符号の説明】
【００１５】
１    柱体
１１  ブロック
１２  スクリューレバー
１３  集光カバー
１４  ナット
１５  放熱片
１６  螺孔
１７  ディンプル
２１  導電層
２２  発光チップ
２３  基板
２４  光透過層
２５  接続導線
２６  極性リード線
２７  絶縁通路
【図１】
0003131092.tif 000003
【図２】
0003131092.tif 000004
【図３】
0003131092.tif 000005
【図４】
0003131092.tif 000006
【図５】
0003131092.tif 000007